(57)【要約】      （修正有）【課題】付加音声データの再生速度を主音声データの再生速度に同期させることができる再生装置を提供する。【解決手段】映像システム１において再生装置３は、主音声データを復号して第１音声データを出力する第１復号部２１と、付加音声データを復号して第２音声データを出力する第２復号部２２と、第１音声データと、第２音声データとを混合する合成部３０とを備える。そして、第２復号部２２は、主音声データのサンプリング周波数と付加音声データのサンプリング周波数とが異なる場合に、主音声データのサンプリング周波数に基づいて付加音声データの再生速度を調節する。【選択図】図１
2018181391.tif 000002
【特許請求の範囲】
【請求項１】
主音声データを復号して第１音声データを出力する第１復号部と、
付加音声データを復号して第２音声データを出力する第２復号部と、
前記第１音声データと、前記第２音声データとを混合する合成部とを備え、
前記第２復号部は、前記主音声データのサンプリング周波数と前記付加音声データのサンプリング周波数とが異なる場合に、前記主音声データのサンプリング周波数に基づいて前記付加音声データの再生速度を調節する
再生装置。
【請求項２】
前記第２復号部は、前記付加音声データのサンプリング周波数が前記主音声データのサンプリング周波数よりも大きい場合、前記付加音声データの再生速度を速くする
請求項１に記載の再生装置。
【請求項３】
前記第２復号部は、前記付加音声データのサンプリング周波数が前記主音声データのサンプリング周波数よりも小さい場合、前記付加音声データの再生速度を遅くする
請求項１に記載の再生装置。
【請求項４】
さらに、前記付加音声データのサンプリング周波数を、前記主音声データのサンプリング周波数に調節できるか否かを判断する制御部を備え、
前記付加音声データのサンプリング周波数を、前記主音声データのサンプリング周波数に調節できない場合、前記制御部は、前記主音声データのサンプリング周波数に基づいて前記付加音声データの再生速度を調節する
請求項１〜３のいずれか１項に記載の再生装置。
【請求項５】
前記合成部は、前記付加音声データの音声レベルが第１閾値以下である場合に、前記付加音声データの音声レベルを上げた前記第２音声データを生成する変換部を有する
請求項１〜４のいずれか１項に記載の再生装置。
【請求項６】
前記付加音声データの音声レベルが前記第１閾値よりも高い第２閾値以上である場合に、前記変換部は、さらに、前記付加音声データの音声レベルを下げた前記第２音声データを生成する
請求項５に記載の再生装置。
【発明の詳細な説明】
【技術分野】
【０００１】
本発明は、ＢＤ（Ｂｌｕ−ｒａｙ（登録商標）  Ｄｉｓｃ）プレイヤー、ＤＶＤ（Ｄｉｇｉｔａｌ  Ｖｅｒｓａｔｉｌｅ  Ｄｉｓｃ）プレイヤー、ＨＤＤ（ｈａｒｄ  ｄｉｓｋ  ｄｒｉｖｅ）等の再生装置に関する。
【背景技術】
【０００２】
米国のＦＣＣ（Ｆｅｄｅｒａｌ  Ｃｏｍｍｕｎｉｃａｔｉｏｎｓ  Ｃｏｍｍｉｓｓｉｏｎ：連邦通信委員会）では、全盲又は弱視者がデジタルビデオプレイヤー、デジタルビデオレコーダ等の映像機器に搭載された各機能を利用することができるように、ＯＳＤ（Ｏｎ  Ｓｃｒｅｅｎ  Ｄｉｓｐｌａｙ：画面）のテキストデータメニューおよびシステムの状態を音声で読み上げるＴＴＳ（Ｔｅｘｔ−ｔｏ−Ｓｐｅｅｃｈ）と呼ばれる機能の搭載を義務付けている。このため、映像機器には、ＴＴＳ機能の実装が要求される。
【０００３】
映像機器は、このＴＴＳ機能により、例えば、リモートコントローラ等を介してテレビの電源がオンされた際に、電源オンを示す音声を出力することができ、チャンネルが選択されたときに選択されたチャンネル番号および当該チャンネルで現在放送されている番組の内容等を示す音声を出力することができる。
【先行技術文献】
【特許文献】
【０００４】
【特許文献１】特開２００７−２５７７０１号公報
【発明の概要】
【発明が解決しようとする課題】
【０００５】
しかしながら、映像機器が再生するＢＤ等のビデオデータに含まれる主音声データと、ＴＴＳ機能による付加音声データとを混合する場合に、主音声データの再生速度と付加音声データの再生速度とが異なってしまうことがある。
【０００６】
そこで、本発明は、付加音声データの再生速度を主音声データの再生速度に同期させることができる再生装置を提供する。
【課題を解決するための手段】
【０００７】
上記目的を達成するため、本発明の一態様に係る再生装置は、主音声データを復号して第１音声データを出力する第１復号部と、付加音声データを復号して第２音声データを出力する第２復号部と、前記第１音声データと、前記第２音声データとを混合する合成部とを備え、前記第２復号部は、前記主音声データのサンプリング周波数と前記付加音声データのサンプリング周波数とが異なる場合に、前記主音声データのサンプリング周波数に基づいて前記付加音声データの再生速度を調節する。
【０００８】
このように、主音声データのサンプリング周波数と付加音声データのサンプリング周波数とが異なる場合に、第２復号部が主音声データのサンプリング周波数に基づいて付加音声データの再生速度を調節する。このため、この再生装置では、第１音声データと第２音声データとを合成部で混合する際に、主音声データの再生速度に付加音声データの再生速度を同期させた音声データを出力させることができる。
【０００９】
したがって、付加音声データの再生速度を主音声データの再生速度に同期させることができる。
【００１０】
また、本発明の一態様に係る再生装置において、前記第２復号部は、前記付加音声データのサンプリング周波数が前記主音声データのサンプリング周波数よりも大きい場合、前記付加音声データの再生速度を速くする。
【００１１】
この構成によれば、第２復号部は、付加音声データの再生速度を速くするため、主音声データと付加音声データとの再生速度を同期させることができる。
【００１２】
また、本発明の一態様に係る再生装置において、前記第２復号部は、前記付加音声データのサンプリング周波数が前記主音声データのサンプリング周波数よりも小さい場合、前記付加音声データの再生速度を遅くする。
【００１３】
この構成によれば、第２復号部は、付加音声データの再生速度を遅くするため、主音声データと付加音声データとの再生速度を同期させることができる。
【００１４】
また、本発明の一態様に係る再生装置において、さらに、前記付加音声データのサンプリング周波数を、前記主音声データのサンプリング周波数に調節できるか否かを判断する制御部を備え、前記付加音声データのサンプリング周波数を、前記主音声データのサンプリング周波数に調節できない場合、前記制御部は、前記主音声データのサンプリング周波数に基づいて前記付加音声データの再生速度を調節する。
【００１５】
このように、制御部が主音声データのサンプリング周波数に基づいて付加音声データの再生速度を調節することで、再生装置は、付加音声データの再生速度を主音声データの再生速度に同期させることができる。
【００１６】
また、本発明の一態様に係る再生装置において、前記合成部は、前記付加音声データの音声レベルが第１閾値以下である場合に、前記付加音声データの音声レベルを上げた前記第２音声データを生成する変換部を有する。
【００１７】
このように、付加音声データの音声レベルが第１閾値以下である場合に、第２プロセッサが付加音声データの音声レベルを上げた第２音声データを第１プロセッサに出力する。このため、付加音声データの音声レベルが主音声データの音声レベルよりも低い場合、第２プロセッサは、主音声データの音声レベルに近づくように、付加音声データの音声レベルを上げる。このため、全盲又は弱視者は、付加音声を聞き取りやすくなる。
【００１８】
また、本発明の一態様に係る再生装置において、前記付加音声データの音声レベルが前記第１閾値よりも高い第２閾値以上である場合に、前記変換部は、さらに、前記付加音声データの音声レベルを下げた前記第２音声データを生成する。
【００１９】
この構成によれば、付加音声データの音声レベルが主音声データの音声レベルに比べて高い場合、第２プロセッサは、主音声データの音声レベルに近づくように、付加音声データの音声レベルを下げる。このため、全盲又は弱視者は、主音声及び付加音声を聞き取りやすくなる。
【００２０】
なお、本発明は、このような特徴的な処理部を備える再生装置として実現することができるだけでなく、再生装置に含まれる特徴的な処理部が実行する処理をステップとする再生方法として実現することができる。また、再生装置に含まれる特徴的な処理部としてコンピュータを機能させるためのプログラムまたは再生方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読み取り可能な非一時的な記録媒体やインターネット等の通信ネットワークを介して流通させることができるのは、言うまでもない。
【発明の効果】
【００２１】
本発明によれば、付加音声データの再生速度を主音声データの再生速度に同期させることができる。
【図面の簡単な説明】
【００２２】
【図１】図１は、実施の形態１、３に係る映像システムを示すブロック図である。
【図２】図２は、実施の形態１〜３に係る再生装置の制御部、第１復号部、第２復号部、合成部及び出力部を示すブロック図である。
【図３】図３は、実施の形態１〜３に係る映像システムの動作を示すシーケンス図である。
【図４】図４は、実施の形態２に係る再生装置を示すブロック図である。
【図５】図５は、実施の形態３に係る再生装置の動作を示すフローチャートである。
【発明を実施するための形態】
【００２３】
以下、本発明の実施の形態について、図面を用いて詳細に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、独立請求項に記載されていない構成要素については、任意の構成要素として説明される。各図は、必ずしも各寸法または各寸法比等を厳密に図示したものではない。
【００２４】
なお、各図において、実質的に同一の構成に対しては同一の符号を付しており、重複する説明は省略又は簡略化する。
【００２５】
（実施の形態１）
［構成］
図１は、実施の形態１に係る映像システム１を示すブロック図である。図２は、実施の形態１に係る再生装置３の制御部１０、第１復号部２１、第２復号部２２、合成部３０及び出力部４０を示すブロック図である。
【００２６】
図１に示すように、映像システム１は、再生装置３と、外部機器５とを備える。
【００２７】
再生装置３は、例えばブルーレイディスクプレイヤーであり、ＢＤ等に格納されたデータを再生する装置である。なお、再生装置３は、録画機能を有していてもよく、ＢＤ、ＤＶＤ、ＨＤＤ等の記憶媒体に記憶されているデータを再生するだけの機能に限定されない。外部機器５は、例えばテレビである。なお、外部機器５は、少なくとも音声を出力することが可能なオーディオ機器であればよく、テレビに限定されない。
【００２８】
再生装置３と外部機器５とは、例えばＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブルを介して相互に接続されている。ＨＤＭＩケーブルは、ＨＤＭＩ規格に準拠したケーブルである。ＨＤＭＩ規格とは、映像および音声をデジタル信号で伝送する通信インタフェースの標準規格である。
【００２９】
再生装置３は、外部機器５を制御するための制御信号、外部機器５に音声および映像を出力させる属性情報を示す信号を外部機器５に送信する。制御信号は、例えば電源オン又は電源オフするためのコマンドを含む。このコマンドは、例えば再生装置３が有する後述するＴＴＳ機能の付加音声データに対応している。属性情報を示す信号には、ＴＴＳ機能によりテキストデータが音声に変換された付加音声データが記憶媒体に記憶されている、主音声データおよび映像データを含む。なお、コマンドには、必ずしも対応するテキストデータが存在している訳ではない。
【００３０】
ここで、主音声データは、例えばＭＰ３やＡＡＣ等の国際標準規格の圧縮方式によって圧縮されており、映像データは、Ｈ．２６４やＭＰＥＧ４等のメディア統合系映像圧縮の映像データの圧縮方式によって圧縮されている。なお、主音声データ及び映像データは、これらの圧縮されたデータに限定されず、非圧縮のデータであってもよい。また、付加音声データは、ＰＣＭ形式、ＷＡＶ形式等の非圧縮音声データであってもよく、圧縮されたデータであってもよい。
【００３１】
図１及び図２に示すように、再生装置３は、制御部１０と、第１復号部２１と、第２復号部２２と、合成部３０と、入力部５０と、出力部４０と、図示しないドライバと、記憶部６０とを有する。
【００３２】
制御部１０は、ドライバ、第１復号部２１、第２復号部２２、合成部３０、入力部５０、記憶部６０等の動作を制御する。
【００３３】
制御部１０は、外部機器５又は入力部５０から制御信号を受信した場合に、制御信号に基づいて再生装置３を制御する。制御信号は、例えば、ＨＤＭＩ規格における、複数のＨＤＭＩ機器間でリンクするためのＣＥＣ（Ｃｏｎｓｕｍｅｒ  Ｅｌｅｃｔｒｏｎｉｃｓ  Ｃｏｎｔｒｏｌ）に従って、複数のＨＤＭＩ機器間で双方向にＣＥＣ通信される。このＣＥＣ通信により、例えば再生装置３の電源オンに連動して、外部機器５の電源オン及び入力切り替えを実現することができる。また、例えば、外部機器５のリモートコントローラで再生装置３を操作することもできる。
【００３４】
制御部１０は、判断部１１を有する。  判断部１１は、記憶媒体から再生したデータに含まれる主音声データのサンプリング周波数と、記憶部６０に記憶されている付加音声データのサンプリング周波数とから、第１復号部２１が復号（デコード）した主音声データのサンプリング周波数に基づいて、付加音声データの再生速度を調節させる倍数を決定する。ここでいう付加音声データの再生速度の調節には、付加音声データの再生速度を主音声データの再生速度と一致させる場合だけでなく、付加音声データの再生速度を主音声データの再生速度に近づける場合も含む。
【００３５】
制御部１０は、記憶媒体から再生したデータに含まれる主音声データから、主音声データを復号する種類を指定する第１デコードデータを生成する。制御部１０は、ドライバが記憶媒体から再生したデータに含まれる主音声データと、第１デコードデータとを第１復号部２１に出力する。
【００３６】
制御部１０は、判断部１１が決定した付加音声データの再生速度を調節させる倍数に関する情報と、付加音声データを復号する種類を指定する情報とを含めた第２デコードデータを生成する。制御部１０は、制御信号に含まれるテキストデータに対応する付加音声データを記憶部６０から決定し、この付加音声データと、第２デコードデータとを第２復号部２２に出力する。
【００３７】
制御部１０は、記憶媒体の動作を制御することが可能なプロセッサであり、記憶部６０からロードされる、ＯＳおよびプレーヤアプリケーションを実行する。制御部１０は、具体的には、プロセッサ、マイクロコンピュータ、または専用回路などによって実現される。
【００３８】
第１デコードデータおよび第２デコードデータには、予め決められた複数種類の復号の中から、制御部１０が指定した第１復号部２１及び第２復号部２２に所定の復号をさせるべきコマンドが含まれる。また、第２デコードデータには、さらに、主音声データのサンプリング周波数に基づいて、第２復号部２２に付加音声データの再生速度を調節させるコマンドが含まれる。
【００３９】
第１復号部２１は、ドライバから制御部１０を介して入力された主音声データを復号して第１音声データを出力するデコーダである。ここで、主音声データは、予め決められた複数種類の圧縮符号化の中の任意の一つを用いて圧縮符号化されている。第１復号部２１は、複数種類の圧縮符号化のそれぞれに対応するデコード機能を有している。第１復号部２１は、制御部１０が指定した復号をさせるべき種類の第１デコードデータを受信する。第１復号部２１は、この第１デコードデータに基づいて、圧縮符号化の種類に対応したデコード機能を用いて復号し、第１音声データを生成する。第１復号部２１は、生成した第１音声データを、合成部３０の後述する第１プロセッサ３１に出力する。
【００４０】
一例をあげると、第１復号部２１に入力される主音声データのサンプリング周波数は、例えば３２ＫＨｚ、４４．１ＫＨｚ、４８ＫＨｚ、９６ＫＨｚ等である。第１復号部２１は、主音声データのサンプリング周波数が４８ＫＨｚである場合、第１デコードデータに基づいて、主音声データのサンプリング周波数を４８ＫＨｚから９６ＫＨｚに上げ（アップコンバート）てもよい。この場合、９６ＫＨｚにサンプリング周波数が上げられた主音声データが第１音声データとなる。
【００４１】
第２復号部２２は、制御部１０から出力された付加音声データを復号して第２音声データを出力する。つまり、第２復号部２２は、ドライバから制御部１０を介して入力された付加音声データを、音声データに復号するデコーダである。
【００４２】
第２復号部２２は、複数種類の圧縮符号化のそれぞれに対応するデコード機能を有している。第２復号部２２は、制御部１０が指定した復号をさせるべき種類の第２デコードデータを受信する。第２復号部２２は、この第２デコードデータに基づいて、圧縮符号化の種類に対応したデコード機能を用いて復号し、第２音声データを生成する。具体的には、第２復号部２２は、主音声データのサンプリング周波数と付加音声データのサンプリング周波数とが異なる場合に、主音声データのサンプリング周波数に基づいて付加音声データの再生速度を調節した第２音声データを生成する。第２復号部２２は、生成した第２音声データを、合成部３０の後述する図２の第２プロセッサ３２に出力する。
【００４３】
第２復号部２２は、付加音声データのサンプリング周波数が主音声データのサンプリング周波数よりも大きい場合、主音声データのサンプリング周波数に基づいて付加音声データの再生速度を速くする。また、第２復号部２２は、付加音声データのサンプリング周波数が主音声データのサンプリング周波数よりも小さい場合、主音声データのサンプリング周波数に基づいて付加音声データの再生速度を遅くする。
【００４４】
一例をあげると、第２復号部２２に入力される付加音声データのサンプリング周波数は、例えば１２ＫＨｚである。第２復号部２２は、主音声データのサンプリング周波数が９６ＫＨｚである場合、付加音声データのサンプリング周波数を主音声データのサンプリング周波数に合わせるように９６ＫＨｚにする。この場合、付加音声データの再生速度が８倍に速められてしまう。このため、第２復号部２２は、第２デコードデータに基づいて、主音声データのサンプリング周波数に基づいて、付加音声データの再生速度を１／８倍にした第２音声データを生成する。
【００４５】
合成部３０は、第１復号部２１から出力される第１音声データと、第２復号部２２から出力される第２音声データとを合成するミキシング処理を実行してオーディオ出力信号を生成する。
【００４６】
図１及び図２に示すように、合成部３０は、第１復号部２１から出力された第１音声データに所定の処理を行う第１プロセッサ３１と、第２復号部２２から出力された第２音声データに所定の処理を行う第２プロセッサ３２とを有する。
【００４７】
第１プロセッサ３１では第１復号部２１から出力された第１音声データと、第２復号部２２から第２プロセッサ３２を介して出力された第２音声データとを合成し、ミキシング処理を施してオーディオ出力信号を生成する。合成部３０が生成したオーディオ出力信号は、出力部４０に送出され、出力部４０からＨＤＭＩケーブルを介して外部機器５に出力される。
【００４８】
入力部５０は、外部機器５の画面に表示された操作メニューの一覧の中から、利用者からの指示を受け付ける。入力部５０は、例えば再生装置３の操作パネル又はリモートコントローラから出力されたコマンドを受付ける装置等でもある。
【００４９】
出力部４０は、例えばＡＶ（Ａｕｄｉｏ−Ｖｉｓｕａｌ）インタフェース（ＨＤＭＩ等）であり、外部機器５に属性情報等を送受信する。属性情報は、例えば、音声データおよび映像データを含む。
【００５０】
ドライバは、記憶媒体の規格に対応するオーディオ・ビデオコンテンツが格納された記憶媒体を駆動するためのドライブユニットであり、記憶媒体に対してデータの再生及び記録を行う。具体的には、ドライバは、記憶媒体にレーザを出射するレーザ光源、記憶媒体で反射したレーザを検出する光検出部等を有する光ピックアップ、記憶媒体を回転させるスピンドルモータ等の動作を制御する。ドライバは、例えば記憶媒体から再生したデータを制御部１０に出力する。
【００５１】
記憶部６０は、付加音声データ、プレーヤアプリケーション、オペレーティングシステム等を記憶している記憶媒体である。記憶部６０内の記憶領域の一部は、ビデオメモリ（ＶＲＡＭ）として使用される。なお、必ずしも記憶部６０内の記憶領域の一部をＶＲＡＭとして使用する必要はなく、記憶部６０とは独立した専用のメモリをＶＲＡＭとして使用してもよい。
【００５２】
外部機器５は、再生装置３から制御信号を受信した場合に、制御信号に基づいて動作する。さらに、外部機器５は、再生装置３から制御信号に対応する音声データおよび映像データを受信した場合に、当該音声データおよび映像データに基づいて音声および映像を出力する。
【００５３】
［動作］
次に、以上のように構成された映像システム１の動作について、図１〜図３を用いて説明する。
【００５４】
図３は、実施の形態１〜３に係る映像システム１の動作を示すシーケンス図である。
【００５５】
図１〜図３に示すように、まず、制御部１０は、再生装置３又は入力部５０から制御信号を受信する。制御部１０は、制御信号に対応する付加音声データを選択する（Ｓ１）。
【００５６】
次に、制御部１０は、第１デコードデータと、ドライバが記憶媒体から再生したデータからオーディオの主音声データとを第１復号部２１に出力し、第２デコードデータと、記憶部６０の付加音声ファイルから選択された付加音声データとを第２復号部２２に出力する（Ｓ２）。
【００５７】
次に、第１復号部２１には、第１デコードデータと、ドライバが記憶媒体から再生したデータからオーディオの主音声データとが入力される（Ｓ１１）。また、第２復号部２２には、第２デコードデータと、記憶部６０の付加音声ファイルから選択された付加音声データとが入力される（Ｓ２１）。
【００５８】
次に、第１復号部２１は、第１デコードデータに基づいて主音声データを復号し、第１音声データを出力する（Ｓ１２）。また、第２復号部２２は、第２デコードデータに基づいて付加音声データを復号し、第２音声データを出力する（Ｓ２２）。ここで、第２復号部２２は、第２デコードデータに基づいて付加音声データを復号するため、付加音声データの再生速度を主音声データのサンプリング周波数に基づいて再生速度を調節した第２音声データを出力する。
【００５９】
次に、第１音声データは、合成部３０の第１プロセッサ３１に入力され、第１プロセッサ３１によって所定の処理が施される（Ｓ１３）。また、第２音声データは、合成部３０の第２プロセッサ３２に入力され、第２プロセッサ３２によって所定の処理が施されて、第１プロセッサ３１に出力される（Ｓ２３）。
【００６０】
次に、合成部３０の第１プロセッサ３１は、第１音声データと第２プロセッサ３２から入力された第２音声データとを合成する（Ｓ１４）。そして、第１プロセッサ３１は、オーディオ出力信号を生成し、合成部３０がオーディオ出力信号を出力する（Ｓ１５）。
【００６１】
このオーディオ出力信号は、出力部４０及びＨＤＭＩケーブルを介して外部機器５に入力される。そして、外部機器５は、オーディオ出力信号に基づいて音声を出力する（Ｓ３）。ここで外部機器５から出力された音声は、主音声データに付加音声データが付加された音声である。そして、このフローを終了する。
【００６２】
このように、第２復号部２２が主音声データのサンプリング周波数に基づいて付加音声データの再生速度を調節するため、この再生装置３では、付加音声データの再生速度が主音声データの再生速度よりも速くなったり、遅くなったりすることが生じ難い。このため、全盲又は弱視者によるデジタル機器の操作をサポートするためのＴＴＳ機能を損ね難くなる。その結果、全盲又は弱視者は、確実に主音声データ及び付加音声データを認識することができる。
【００６３】
［作用効果］
次に、本実施の形態おける再生装置３の作用効果について説明する。
【００６４】
上述したように、本実施の形態に係る再生装置３は、主音声データを復号して第１音声データを出力する第１復号部２１と、付加音声データを復号して第２音声データを出力する第２復号部２２と、第１音声データと、第２音声データとを混合する合成部３０とを備える。そして、第２復号部２２は、主音声データのサンプリング周波数と付加音声データのサンプリング周波数とが異なる場合に、主音声データのサンプリング周波数に基づいて付加音声データの再生速度を調節する。
【００６５】
このように、主音声データのサンプリング周波数と付加音声データのサンプリング周波数とが異なる場合に、第２復号部２２が主音声データのサンプリング周波数に基づいて付加音声データの再生速度を調節する。このため、この再生装置３では、第１音声データと第２音声データとを合成部３０で混合する際に、主音声データの再生速度に付加音声データの再生速度を同期させた音声データを出力させることができる。
【００６６】
したがって、付加音声データの再生速度を主音声データの再生速度に同期させることができる。このため、全盲又は弱視者が再生装置３及び外部機器５を正しく操作することができる。
【００６７】
また、本実施の形態に係る再生装置３において、第２復号部２２は、付加音声データのサンプリング周波数が主音声データのサンプリング周波数よりも大きい場合、付加音声データの再生速度を速くする。
【００６８】
この構成によれば、第２復号部２２は、付加音声データの再生速度を速くするため、主音声データと付加音声データとの再生速度を同期させることができる。
【００６９】
また、本実施の形態に係る再生装置３において、第２復号部２２は、付加音声データのサンプリング周波数が主音声データのサンプリング周波数よりも小さい場合、付加音声データの再生速度を遅くする。
【００７０】
この構成によれば、第２復号部２２は、付加音声データの再生速度を遅くするため、主音声データと付加音声データとの再生速度を同期させることができる。
【００７１】
（実施の形態２）
［構成］
実施の形態２に係る映像システム１の構成について、図４を用いて説明する。
【００７２】
図４は、実施の形態２に係る再生装置３００を示すブロック図である。
【００７３】
本実施の形態では、実施の形態１の第２復号部２２の代わりに、ＴＴＳエンジン１２のパラメータで付加音声データの再生速度を調節している点で実施の形態１と相違している。また、本実施の形態の映像システム１は、特に明記しない場合は、実施の形態１の映像システム１と同様であり、同一の構成については同一の符号を付して構成に関する詳細な説明を省略する。
【００７４】
図４に示すように、制御部１０は、判断部１１の他に、ＴＴＳエンジン１２と、調節部３１３とを有する。
【００７５】
ＴＴＳエンジン１２は、制御部１０が予め有しているファームウェアに設けられ、複数のテキストデータのそれぞれを音声データに変換するプログラムである。ＴＴＳエンジン１２は、外部機器５又は入力部５０からの制御信号に含まれるテキストデータを付加音声データに変換して、合成部３０に出力する。
【００７６】
ＴＴＳエンジン１２は、ＴＴＳ機能を有する。ここで、ＴＴＳ機能とは、テキストデータを音声データに変換し、当該音声データを出力する機能である。本実施の形態では、ＴＴＳ機能は、全盲又は弱視者によるデジタル機器の操作をサポートするための音声出力機能を意味する。より具体的には、ＴＴＳ機能とは、再生装置３００及び外部機器５との間で送受信される制御信号に対応する付加音声データを出力する機能を意味する。
【００７７】
判断部１１は、記憶媒体から再生したデータに含まれる主音声データのサンプリング周波数と、ＴＴＳエンジン１２が作成した付加音声データのサンプリング周波数とから、付加音声データの再生速度を主音声データのサンプリング周波数に基づいて、付加音声データの再生速度を調節させる倍数を決定する。
【００７８】
判断部１１は、付加音声データのサンプリング周波数を、主音声データのサンプリング周波数に調節できるか否かを判断する。判断部１１は、付加音声データのサンプリング周波数を、主音声データのサンプリング周波数に調節できないと判断した場合に、調節部３１３に主音声データのサンプリング周波数に関するデータを出力する。
【００７９】
調節部３１３は、第２音声データの再生速度を調節する周波数変換回路、プログラム等である。調節部３１３は、入力された主音声データのサンプリング周波数に関するデータに基づいて、第１音声データのサンプリング周波数に基づいて第２音声データの再生速度を調節する。
【００８０】
第２音声データの再生速度を調節について説明する。ＴＴＳエンジン１２は、ＡＰＩ（Ａｐｐｌｉｃａｔｉｏｎ  Ｐｒｏｇｒａｍｍｉｎｇ  Ｉｎｔｅｒｆａｃｅ）を用いて、付加音声データを、文字列をＰＣＭ（ｐｕｌｓｅ  ｃｏｄｅ  ｍｏｄｕｌａｔｉｏｎ）音声データに変換する。具体的には、ＴＴＳエンジン１２は、付加音声データにおける、文字列、音量、再生速度、音高、サンプリング周波数、言語（日本語、英語等）等を指定することで、所望のＰＣＭ音声データを出力する。出力されたＰＣＭ音声データは、合成部３０に入力される。本実施の形態において、ＴＴＳエンジン１２は、第２復号部の一例である。
【００８１】
制御部１０の判断部１１は、ＴＴＳエンジン１２が付加音声データのサンプリング周波数を変換することができるか否かを判断する。具体的には、判断部１１は、制御部１０のＴＴＳエンジン１２のライブラリを用いて、主音声データのサンプリング周波数の倍数となる付加音声データを作成できない場合がある。これは、制御部１０のメモリ容量の制限等から、テキストデータから付加音声データに調節できるサンプリング周波数は限られているため、全ての主音声データのサンプリング周波数に調節するように付加音声データのサンプリング周波数を変換することは困難である。
【００８２】
このため、付加音声データのサンプリング周波数を主音声データのサンプリング周波数に調節できないと、判断部１１が判断した場合に、制御部１０のＴＴＳエンジン１２は、主音声データのサンプリング周波数に基づいて付加音声データの再生速度を調節する。付加音声データの再生速度の調節は、ＴＴＳエンジン１２のライブラリによって行われる。
【００８３】
［作用効果］
次に、本実施の形態おける再生装置３００の作用効果について説明する。
【００８４】
上述したように、本実施の形態に係る再生装置３００は、さらに、付加音声データのサンプリング周波数を主音声データのサンプリング周波数に調節できるか否かを判断する制御部１０を備える。そして、付加音声データのサンプリング周波数を主音声データのサンプリング周波数に調節できない場合、制御部１０は、主音声データのサンプリング周波数に基づいて付加音声データの再生速度を調節する。
【００８５】
このように、制御部１０のＴＴＳエンジン１２が主音声データのサンプリング周波数に基づいて付加音声データの再生速度を調節することで、再生装置３００は、付加音声データの再生速度を主音声データの再生速度に同期させることができる。
【００８６】
本実施の形態における他の作用効果についても、実施の形態１等と同様の作用効果を奏する。
【００８７】
（実施の形態３）
［構成］
実施の形態３に係る映像システム１の構成について図１及び図２を用いて説明する。
【００８８】
本実施の形態では、第２プロセッサ３２が付加音声データの音声レベルを調節する点で実施の形態１と相違している。また、本実施の形態の映像システム１は、特に明記しない場合は、実施の形態１の映像システム１と同様であり、同一の構成については同一の符号を付して構成に関する詳細な説明を省略する。
【００８９】
第２復号部２２は、付加音声データの音声レベルを算出して音声レベルを示す情報と、第２音声データとを生成し、音声レベルを示す情報及び第２音声データを第２プロセッサ３２に出力する。ここでいう音声レベルとは、音声のボリュームである。
【００９０】
合成部３０は、付加音声データの音声レベルが第１閾値以下である場合に、付加音声データの音声レベルを上げた第２音声データを生成する第２プロセッサ３２を有する。第２プロセッサ３２は、付加音声データの音声レベルが第１閾値以下であるか否かを判断し、音声レベルを調節した第２音声データを生成する。
【００９１】
具体的には、音声レベルを示す情報に基づいて付加音声データの音声レベルが第１閾値以下であると、第２プロセッサ３２が判断した場合、第２プロセッサ３２は、付加音声データの音声レベルを上げた第２音声データを生成し、この第２音声データを出力する。つまり、付加音声データの音声レベルが小さく、聞き取り辛くなっていることが考えられるため、第２プロセッサ３２は、付加音声データの音声レベルを上げる。
【００９２】
また、音声レベルを示す情報に基づいて付加音声データの音声レベルが第１閾値よりも高い第２閾値以上であると、第２プロセッサ３２が判断した場合、第２プロセッサ３２は、付加音声データの音声レベルを下げた第２音声データを生成し、この第２音声データを出力する。つまり、付加音声データの音声レベルが大きすぎることが考えられるため、第２プロセッサ３２は、付加音声データの音声レベルを下げる。
【００９３】
［動作］
次に、以上のように構成された再生装置３における第２復号部２２と第２プロセッサ３２の動作について図１、図２及び図５を用いて説明する。ここでは、第２復号部２２に入力された付加音声データから第２プロセッサ３２が音声レベルを調節した第２音声データを出力するまでの動作を示す。図５は、実施の形態３に係る再生装置３の動作を示すフローチャートである。
【００９４】
図１、図２及び図５に示すように、まず、第２復号部２２は、制御部１０から入力された付加音声データの音声レベルを算出して音声レベルを示す情報と、第２音声データとを生成し、音声レベルを示す情報及び第２音声データを出力する（Ｓ３１）。
【００９５】
次に、音声レベルを示す情報及び第２音声データは、第２プロセッサ３２に入力される。そして、第２プロセッサ３２は、付加音声データの音声レベルが第１閾値以下であるか否かを判断する（Ｓ３２）。
【００９６】
次に、付加音声データの音声レベルが第１閾値以下であると、第２プロセッサ３２が判断した場合（Ｓ３２ではＹＥＳ）、第２プロセッサ３２は、付加音声データの音声レベルを上げた第２音声データを生成し、第２音声データを出力する（Ｓ３３）。このステップでは、例えば第２プロセッサ３２は、付加音声データの音声レベルを、主音声データの音声レベル程度まで上げてもよい。そして、付加音声データの音声レベルを調節した第２音声データは、第１プロセッサ３１に入力され、このフローは終了する。
【００９７】
一方、付加音声データの音声レベルが第１閾値よりも高いと、第２プロセッサ３２が判断した場合（Ｓ３２ではＮＯ）、第２プロセッサ３２は、付加音声データの音声レベルが第２閾値以下であるか否かを判断する（Ｓ３４）。
【００９８】
付加音声データの音声レベルが第２閾値よりも高いと、第２プロセッサ３２が判断した場合（Ｓ３４ではＮＯ）、第２プロセッサ３２は、付加音声データの音声レベルを下げた第２音声データを生成し、第２音声データを出力する（Ｓ３５）。このステップＳ３５では、例えば第２プロセッサ３２は、付加音声データの音声レベルを、主音声データの音声レベル程度まで下げてもよい。そして、第２プロセッサ３２が付加音声データの音声レベルを調節した第２音声データは、第１プロセッサ３１に入力され、このフローは終了する。
【００９９】
一方、付加音声データの音声レベルが第２閾値以下であると、第２プロセッサ３２が判断した場合（Ｓ３４ではＹＥＳ）、第２プロセッサ３２が付加音声データの音声レベルを調節せずに、第２音声データを生成し、第２音声データを第１プロセッサ３１に出力し、このフローは終了する。
【０１００】
なお、このフローは、図３のステップＳ２１及びステップＳ２２の間で行われてもよい。
【０１０１】
［作用効果］
次に、本実施の形態おける再生装置３の作用効果について説明する。
【０１０２】
上述したように、本実施の形態に係る再生装置３において、合成部３０は、付加音声データの音声レベルが第１閾値以下である場合に、付加音声データの音声レベルを上げた第２音声データを生成する第２プロセッサ３２を有する。
【０１０３】
このように、付加音声データの音声レベルが第１閾値以下である場合に、第２プロセッサ３２が付加音声データの音声レベルを上げた第２音声データを第１プロセッサ３１に出力する。このため、付加音声データの音声レベルが主音声データの音声レベルよりも低い場合、第２プロセッサ３２は、主音声データの音声レベルに近づくように、付加音声データの音声レベルを上げる。このため、全盲又は弱視者は、付加音声を聞き取りやすくなる。
【０１０４】
また、本実施の形態に係る再生装置３において、付加音声データの音声レベルが第１閾値よりも高い第２閾値以上である場合に、第２プロセッサ３２は、さらに、付加音声データの音声レベルを下げた第２音声データを生成する。
【０１０５】
この構成によれば、付加音声データの音声レベルが主音声データの音声レベルに比べて高い場合、第２プロセッサ３２は、主音声データの音声レベルに近づくように、付加音声データの音声レベルを下げる。このため、全盲又は弱視者は、主音声及び付加音声を聞き取りやすくなる。
【０１０６】
本実施の形態における他の作用効果についても、実施の形態１等と同様の作用効果を奏する。
【０１０７】
（その他変形例等）
以上、本発明の１つまたは複数の態様に係る再生装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の１つまたは複数の態様の範囲内に含まれてもよい。
【０１０８】
例えば、上記各実施の形態３において、第２プロセッサは、主音声データの音声レベルに対する付加音声データの音声レベルの比が所定の閾値以下であれば、付加音声データの音量を上げるように第２復号部を制御してもよい。この場合、主音声データの音声レベルに対して、付加音声データの音量が小さすぎると考えられるため、第２プロセッサは、付加音声データの音声レベルを、主音声データの音声レベル程度まで上げてもよい。
【０１０９】
また、上記各実施の形態１〜３において、付加音声の再生速度が早い場合又は遅い場合、音量が大きい場合又は小さい場合により、付加音声を聞き取りにくい場合には、ユーザが入力部又はリモートコントローラを介して付加音声の再生速度を調節したり、付加音声の音量を調節したりすることができてもよい。
【０１１０】
また、上記各実施の形態１〜３において、制御装置及び外部機器は、有線接続されていたが、無線接続であってもよい。
【０１１１】
また、上記各実施の形態１〜３において、再生装置及び外部機器は、ＨＤＭＩ規格に従って接続されていたが、ＨＤＭＩ規格とは異なる規格等に従って接続されてもよい。例えば、再生装置及び外部機器は、ＨＤＭＩ規格の代わりに、ＤＬＮＡ（登録商標）（Ｄｉｇｉｔａｌ  Ｌｉｖｉｎｇ  Ｎｅｔｗｏｒｋ  Ａｌｌｉａｎｃｅ）ガイドラインに従って接続されてもよい。
【０１１２】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１１３】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、例えば、マイクロプロセッサ、ＲＯＭ、ＲＡＭなどを含んで構成されるコンピュータシステムを含む。この場合、ＲＯＭには、コンピュータプログラムが記憶されている。マイクロプロセッサが、コンピュータプログラムに従って動作することにより、システムＬＳＩは、その機能を達成する。
【０１１４】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１１５】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【０１１６】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしても良い。また、これらの非一時的な記録媒体に記録されている上記デジタル信号であるとしても良い。
【０１１７】
また、本発明は、上記コンピュータプログラムまたは上記デジタル信号を、電気通信回線、無線または有線通信回線、インターネットを代表とするネットワーク、データ放送等を経由して伝送するものとしても良い。
【０１１８】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１１９】
また、上記プログラムまたは上記デジタル信号を上記非一時的な記録媒体に記録して移送することにより、または上記プログラムまたは上記デジタル信号を、上記ネットワーク等を経由して移送することにより、独立した他のコンピュータシステムにより実施するとしても良い。
【０１２０】
さらに、上記実施の形態及び上記変形例をそれぞれ組み合わせるとしても良い。
【産業上の利用可能性】
【０１２１】
本発明に係る再生装置は、テレビにケーブルで接続されるデジタルビデオプレイヤー等に利用することができる。
【符号の説明】
【０１２２】
３、３００  再生装置
１０  制御部
１２  ＴＴＳエンジン（第２復号部）
２１  第１復号部
２２  第２復号部
３０  合成部
３２  第２プロセッサ（変換部）
【図１】
2018181391.tif 000003
【図２】
2018181391.tif 000004
【図３】
2018181391.tif 000005
【図４】
2018181391.tif 000006
【図５】
2018181391.tif 000007